(57)【要約】【課題】立体造形物で形成した役物を発光させた場合に、人や生物等の形状を表現することができ、遊技者に与える造形感を向上させることが可能となる遊技機を提供する。【解決手段】遊技機１が備える立体造形物３０は、凹部３０ａによって形成されるラインに沿うように設けられた透明部３２ａと、乳白色で彩色されてライン以外の部分に配置される半透明部３１と、を備え、立体造形物３０の裏面側であって透明部３２ａと対向する位置には、乳白色で彩色された裏面部材３７が配置され、発光部材３６・３６・・・が照射した光が、半透明部３１を透過して遊技者側に放出されるとともに、裏面部材３７で反射された後に透明部３２ａを透過して遊技者側に放出される。【選択図】図４
2014226275.tif 000002
【特許請求の範囲】
【請求項１】
立体造形物と、
前記立体造形物の裏面側から光を照射する発光源と、を備える遊技機であって、
前記立体造形物は、所定色で彩色された半透明部と、当該立体造形物のキャラクタラインに沿うように設けられた透明部と、を備え、
前記立体造形物の裏面側であって、前記透明部と対向する位置には、前記所定色と同等の色で彩色された裏面部材が配置され、
前記発光源が照射した光が、
前記立体造形物の前記半透明部を透過して遊技者側に放出されるとともに、
前記裏面部材で反射された後に前記透明部を透過して遊技者側に放出される、
ことを特徴とする、遊技機。
【発明の詳細な説明】
【技術分野】
【０００１】
本発明は、遊技機の技術に関し、具体的には遊技機において発光する役物に関する。
【背景技術】
【０００２】
従来、パチンコ遊技機等の遊技機においては、搭載する役物を人や生物等の立体造形物で形成する技術が用いられている（例えば、特許文献１を参照）。このような立体造形物においては、遊技者側の表面に凹凸を形成し、この凹凸によって人や生物等の形状を表現して、遊技者に造形感を与えている。
【先行技術文献】
【特許文献】
【０００３】
【特許文献１】特開２００７−２４５号公報
【発明の概要】
【発明が解決しようとする課題】
【０００４】
前記従来技術の如く、役物を立体造形物で形成した場合に、立体造形物を発光させて遊技機の演出を行うことがある。その際、立体造形物を例えば白色や黄色等の明度の高い色で彩色した場合、立体造形物が発光したときに遊技者が凹凸によって表現される形状を認識し難くなることがある。この場合、人や生物等の形状を表現することができないため、立体造形物が発光した際に遊技者に与える造形感が損なわれることがあった。一方、立体造形物の表面に例えば黒色等の線を描いた場合は、立体造形物のイメージが損なわれる場合があった。
【０００５】
本発明は、上記のような問題点に鑑みてなされたものであり、立体造形物で形成した役物を発光させた場合に、人や生物等の形状を表現することができ、遊技者に与える造形感を向上させることが可能となる、遊技機を提供するものである。
【課題を解決するための手段】
【０００６】
本発明の解決しようとする課題は以上の如くであり、次にこの課題を解決するための手段を説明する。
【０００７】
即ち、請求項１においては、立体造形物と、前記立体造形物の裏面側から光を照射する発光源と、を備える遊技機であって、前記立体造形物は、所定色で彩色された半透明部と、当該立体造形物のキャラクタラインに沿うように設けられた透明部と、を備え、前記立体造形物の裏面側であって、前記透明部と対向する位置には、前記所定色と同等の色で彩色された裏面部材が配置され、前記発光源が照射した光が、前記立体造形物の前記半透明部を透過して遊技者側に放出されるとともに、前記裏面部材で反射された後に前記透明部を透過して遊技者側に放出されるものである。
【発明の効果】
【０００８】
本発明により、遊技機において、立体造形物で形成した役物を発光させた場合に、人や生物等の形状を表現することができ、遊技者に与える造形感を向上させることが可能となる。
【図面の簡単な説明】
【０００９】
【図１】本発明の一実施形態に係るパチンコ遊技機の全体的な構成を示した正面図。
【図２】同じく、パチンコ遊技機の窓枠が開放された状態の構成を示した正面斜視図。
【図３】同じく、発光役物が配置された遊技盤の構成を示した正面図。
【図４】（ａ）は発光役物を示した正面図、（ｂ）は図４（ａ）におけるＡ−Ａ線断面図。
【図５】同じく、発光役物における発光部材の配置状態を示した正面図。
【図６】（ａ）は発光状態における発光役物を示した正面図、（ｂ）は図６（ａ）におけるＢ−Ｂ線断面図。
【図７】（ａ）は別実施形態に係る発光役物を示した断面図、（ｂ）は別実施形態に係る発光役物の発光状態を示した断面図。
【発明を実施するための形態】
【００１０】
まず、本発明に係るパチンコ遊技機の第一実施形態である遊技機１の全体的な構成について、図面を用いて説明する。
なお、以下の説明では、遊技機１を遊技者側から見て、手前側を遊技機１の前側とし、奥側を遊技機１の後側として、前後方向を規定する。また、遊技機１を遊技者側から見て、左手側を遊技機１の左側とし、右手側を遊技機１の右側として、左右方向を規定する。
【００１１】
遊技機１は、図１及び図２が示すように、主として、外枠２と、中枠３と、窓枠４と、により構成される枠体に、各種の遊技部品が取り付けられて形成される。
【００１２】
外枠２は、遊技機１の外郭を成し、前後面が開口された略四角筒状に形成される枠体である。外枠２は、パチンコホール等の遊技場に設けられた台島に設置される。外枠２には、中枠３が設けられる。
【００１３】
中枠３は、前後面が開口された略四角筒状に形成される枠体である。中枠３は、外枠２の前側の開口部にヒンジ等の軸支部材を介して回動可能に支持される。中枠３には、遊技盤５と、窓枠４と、下皿ユニット６と、が設けられる。
【００１４】
遊技盤５は、略平板状に形成される部材である。遊技盤５は、中枠３の下側を除く略全面に渡って、中枠３に着脱自在に取り付けられる。遊技盤５の前側の表面には、遊技球が転動する領域である遊技領域１９が形成される（図３及び図４を参照）。また、遊技盤５における遊技領域１９の部分には、遊技球を不規則に転動させるために図示しない多数の遊技釘が打ち込まれている。
【００１５】
窓枠４は、略平板状に形成される枠体である。窓枠４は、遊技盤５の前方に配置される。窓枠４は、中枠３の前側の開口部にヒンジ等の軸支部材を介して回動可能に支持される。窓枠４の略中央には、略円形状の窓枠開口部７が開口される。窓枠開口部７は、透明板２７により被覆される。これによって、遊技者は、前方から透明板２７を介して窓枠４の後方に配置された遊技盤５（より詳細には、遊技領域１９）を視認することができる。窓枠開口部７の下方には、発射前の遊技球が貯溜される上皿８が配設される。窓枠開口部７の左右上方には、スピーカ９がそれぞれ配設される。
【００１６】
下皿ユニット６は、中枠３の下側であって窓枠４の下方に取り付けられる。下皿ユニット６の略中央には、上皿８から溢れた遊技球が貯溜される下皿２５が配設される。下皿ユニット６の右側部であって下皿２５の右方には、上皿８に貯溜された遊技球を遊技盤５の遊技領域１９へ向けて発射可能に構成される発射ハンドル２６が配設される。
【００１７】
次に、遊技盤５の構成について、図３を用いてさらに詳細に説明する。
【００１８】
遊技盤５には、遊技部品としてガイドレール１０、図柄表示装置１１、図柄表示開口部１２、一般入賞口１３、大入賞装置１４、可変入賞装置１５、アウト口１６、発光役物２９などが設けられている。
【００１９】
ガイドレール１０は、略円弧状に形成された帯状の部材である。ガイドレール１０は、遊技盤５の前側面に、当該前側面に対して立ち上がり状に取り付けられる。ガイドレール１０は、遊技盤５の前側面に正面視で略円形状を形成するように配置される。そして、遊技盤５において、ガイドレール１０により略円形状に形成された内側の領域が、遊技球が転動する領域である遊技領域１９として構成される。
【００２０】
図柄表示装置１１は、液晶画面２０を設けて、当該液晶画面２０に図柄や数字等を変動表示可能に構成される装置である。図柄表示装置１１は、液晶画面２０を前方へ向けた状態で、遊技盤５の後側面に取り付けられる。
【００２１】
図柄表示開口部１２は、遊技者が前方から図柄表示装置１１の液晶画面２０を視認するための開口部である。図柄表示開口部１２は、正面視で遊技領域１９の概ね中央で、遊技盤５を前後方向に貫通して形成される。図柄表示開口部１２には、図柄表示装置１１の液晶画面２０が配置される。これによって、遊技者は、前方から図柄表示開口部１２を通じて遊技盤５の後側面に取り付けられた図柄表示装置１１の液晶画面２０を視認することができる。
【００２２】
一般入賞口１３は、上面が開口されたポケット状に形成され、遊技球が入球（入賞）可能に形成される部材である。一般入賞口１３は、遊技領域１９の下部であって適宜な位置に複数個が配置される。一般入賞口１３は、遊技球が入球すると図示せぬ賞球払出装置によって所定数の遊技球（賞球）が払い出されるように構成される。
【００２３】
大入賞装置１４は、所定の大当たり抽選により大当たりが選択されると、大入賞口２１を開放して遊技球が入球（入賞）可能に構成される装置である。大入賞装置１４は、遊技領域１９の中央下部に配置される。大入賞装置１４は、開放した大入賞口２１に遊技球が入球すると図示せぬ賞球払出装置によって所定数の遊技球（賞球）が払い出されるように構成される。
【００２４】
可変入賞装置１５は、所定の作動条件に応じて左右一対の可動片２２が開閉作動し、始動入賞口２３に遊技球が入球（入賞）可能な開放状態と入球（入賞）不能な閉塞状態とに切り替え可能に構成される装置である。可変入賞装置１５は、遊技領域１９において図柄表示開口部１２の下方であって大入賞装置１４の上方に配置される。可変入賞装置１５は、前記開放状態において始動入賞口２３に遊技球が入球（入賞）すると図示せぬ賞球払出装置によって所定数の遊技球（賞球）が払い出されるように構成される。
【００２５】
アウト口１６は、遊技領域１９を転動する遊技球が、一般入賞口１３や大入賞口２１や始動入賞口２３等の各入賞口に入球（入賞）しなかった場合に、最終的に流入する開口部である。アウト口１６は、遊技領域１９の最下部に、遊技盤５を前後方向に貫通して形成される。なお、アウト口１６に流入した遊技球は、遊技機１が設置されたパチンコホール等の遊技場側に回収される。
【００２６】
発光役物２９は、遊技盤５における図柄表示開口部１２の上方に配置されて、大当たり時やイベント開始時において適宜発光する役物である。具体的には図４（ａ）及び（ｂ）に示す如く、遊技盤５に基板３５が配設され、基板３５に発光源である複数の発光部材３６・３６・・が配設されている。本実施形態においては、発光部材３６・３６・・として白色に発光するＬＥＤが用いられている。さらに、発光役物２９の形状を表す中空の立体造形物３０が基板３５の前面（遊技者側）において前方に膨出して、発光部材３６・３６・・を被覆した状態で配設されている。換言すれば、発光源である発光部材３６・３６・・・は発光時に、立体造形物３０の裏面側から光を照射するように構成されている。
【００２７】
本実施形態において、立体造形物３０は人の拳の形状に形成されているが、その形状は限定されるものではなく、動物や植物、無生物等の形状を用いることが可能である。上記構成において、発光部材３６・３６・・が大当たり時やイベント開始時において発光することにより、図６（ａ）に示す如く発光役物２９の立体造形物３０が発光する。このように、遊技機１は発光役物２９により遊技者に視覚的な印象（インパクト）を与え、その遊技者の興趣を高めるように構成されている。
【００２８】
次に、発光役物２９の形態について、図４から図６を用いて説明する。
図４（ａ）及び（ｂ）に示す如く、発光役物２９における立体造形物３０には、遊技者側の表面に凹凸が形成されており、この凹凸により立体造形物３０の造形が表現される。具体的には立体造形物３０に形成された凹凸のうち窪んでいる部分である凹部３０ａにより、立体造形物３０の造形を表現するラインであるキャラクタライン（以下、単に「ライン」と記載する）が形成される。つまり、立体造形物３０が表す拳の表面に現れる、指の間の線が凹部３０ａによって表されるのである。なお、本実施形態においては、凹部３０ａにより立体造形物３０の造形を表現するラインを形成しているが、立体造形物に形成される凸部により、その造形を表現するラインを形成することも可能である。
【００２９】
立体造形物３０は、凹部３０ａによって形成されるラインに沿うように設けられた透明部３２ａと、ライン以外の部分（以下、「膨出部３１a」と記載する）に配置される半透明部３１と、を備えている。具体的には、透明な樹脂製素材により立体造形物３０の形状を形成し、そのうち膨出部３１aに半透明の樹脂を注入することにより、半透明部３１及び透明部３２ａを形成するのである。なお、本実施形態においては、立体造形物３０が表す拳の周縁部分にも透明部３２ｂが配置されており、透明部３２ｂの周囲も半透明に形成されている。また、立体造形物３０は、透明な樹脂製素材を塗装して半透明部３１とすることによっても形成可能である。さらに、透明な樹脂製素材を、一部が半透明なシートで挟み込むことにより、立体造形物３０を成形することも可能である。即ち、透明部３２ａと半透明部３１とを備える立体造形物３０の成形方法は限定されるものではなく、他のあらゆる方法を採用することができる。また、本実施形態における立体造形物３０は、透明部３２ａと半透明部３１とで構成されているが、一部に不透明な部材を備える構成としても差し支えない。
【００３０】
本実施形態における立体造形物３０は、半透明部３１が乳白色で彩色されている。但し、半透明部３１の色彩は乳白色に限定されるものではなく、他の色で彩色することもできる。また、本明細書において「彩色」とは、所定の部材に対して「色を付す（着色する）」ことだけではなく、当該部材をその色で製造する（当該部材を製造した段階で色が付されている）ことをも含む。つまり、半透明部３１が乳白色となるように製造した場合であっても、「半透明部３１が乳白色で彩色された」と記載する。
【００３１】
立体造形物３０においては図４（ａ）及び図５に示す如く、発光部材３６・３６・・・は透明部３２ａと対向せず、膨出部３１aと対向する位置（遊技者から見て透明部３２ａと重ならない位置）に配置されている。これにより、遊技者に透明部３２ａを介して、発光部材３６・３６・・・が見えないようにしている。
【００３２】
本実施形態における立体造形物３０の裏面側であって透明部３２ａと対向する位置（遊技者から見て透明部３２ａと重なる位置）には、半透明部３１と同等の色である乳白色で彩色された裏面部材３７が配置されている。具体的には、基板３５の前面に、全体的に裏面部材３７として乳白色のシートが貼付されている。これにより、遊技者が透明部３２ａを介して裏面部材３７を視認することにより、遊技者は透明部３２ａが半透明部３１と同様の乳白色に見える。即ち、半透明部３１及び透明部３２ａを備える立体造形物３０は、遊技者から見て乳白色の一色で形成されて見えるように構成されているのである。なお、本実施形態においては裏面部材３７と基板３５とを別部材として構成したが、基板の表面に乳白色の彩色を施すことにより、基板そのものを裏面部材として構成することも可能である。
【００３３】
上記の如く構成した立体造形物３０においては、図６（ａ）に示す如く発光部材３６・３６・・・が発光した際に、図６（ｂ）中に示す矢印αに示す如く、発光部材３６・３６・・・が照射した光が立体造形部３０の内面で乱反射して、裏面部材３７で反射された後に透明部３２ａを透過して遊技者側に放出される。また、図６（ｂ）中に示す矢印βに示す如く、発光部材３６・３６・・・が照射した光が半透明部３１を透過して遊技者側に放出される。
【００３４】
本実施形態に係る遊技機１によれば、上記の如く構成することにより、立体造形物３０で形成した発光役物２９を発光させた際に、凹部３０ａによって形成されるラインで人や生物等の形状を表現することができ、遊技者に与える造形感を向上させることが可能となる。
【００３５】
具体的には、発光部材３６・３６・・・が発光した際に、透明部３２ａにおける光り方（図６（ｂ）中に示す矢印α）と、半透明部３１における光り方（図６（ｂ）中に示す矢印β）とを、異なるものとすることができる。より詳細には、半透明部３１では立体造形物３０の内部における光の一部を透過させるために少し暗くなるのに対し、透明部３２ａでは立体造形物３０の内部における光の殆どを透過させるために明るくなる。即ち、立体造形物３０の表面で凹部３０ａによって形成されるラインが、遊技者に際立って認識されることとなる。本実施形態においては、立体造形物３０が表す拳の表面に現れる、指の間の線が認識され易くなるのである。つまり、立体造形物３０が発光した際に、凹部３０ａによって形成されるラインを認識させることで、人や生物等の形状が認識し難くなることを防止できるため、遊技者に与える造形感を向上させることが可能となるのである。また、この造形感の向上は、立体造形物３０を白色や黄色等の明度の高い色で彩色した場合でも、損なわれることがない。加えて、本実施形態における立体造形物３０は、遊技者が透明部３２ａを介して視認する裏面部材３７と、半透明部３１と、が同等の色である乳白色で彩色されているため、発光部材３６・３６・・・が発光した場合にも、遊技者にとっては立体造形物３０が乳白色の一色で発光しているように見えるのである。
【００３６】
また、本実施形態においては、発光部材３６・３６・・・を白色に発光させる構成としているが、発光部材３６・３６・・・を別の色で発光させることも可能である。例えば、発光部材３６・３６・・・を赤色で発光させた場合は、赤色の光が乳白色の裏面部材３７で反射された後に透明部３２ａを透過して遊技者側に放出されるとともに、乳白色の半透明部３１を透過して遊技者側に放出される。これにより、遊技者にとっては立体造形物３０が赤色の混じった乳白色の一色で発光しているように見えるのである。
【００３７】
さらに、立体造形物３０の半透明部３１と、裏面部材３７とを黄色で彩色し、発光部材３６・３６・・・を赤色で発光させることも可能である。この場合は遊技者にとって、立体造形物３０が赤色と黄色の混じったオレンジ色の一色で発光しているように見えるのである。
【００３８】
このように、発光部材３６・３６・・・で発光させる光の色と、立体造形物３０の半透明部３１及び裏面部材３７を彩色する色と、を異なるものとした場合は、それぞれの色を混じり合わせて立体造形物３０を発光させることができる。つまり、それぞれの色の組み合わせを調整することにより、立体造形物３０を発光させることによる発光役物２９の演出のバリエーションを増やすことができるのである。
【００３９】
また、本実施形態に係る遊技機１においては、立体造形物３０を中空状に構成することにより、発光部材３６・３６・・・が発光していない場合には、図４（ａ）に示す如く透明部３２ａが配設された凹部３０ａを暗くすることができる。これにより立体造形物３０に陰影をつけることができるため、立体造形物３０が発光していなくてもラインが認識され易くなるなり、遊技者に与える造形感を向上させることが可能となるのである。
【００４０】
次に、別実施形態に係る立体造形物１３０の構成について、図７（ａ）及び（ｂ）を用いて説明する。以下では、前記第一実施形態に係る立体造形物３０と異なる構成を中心に説明する。
【００４１】
立体造形物１３０は図７（ａ）及び（ｂ）に示す如く、基板３５に発光源である複数の垂直発光部材３６ａ・３６ａ・・及び平行発光部材３６ｂ・３６ｂ・・・が配設されている。垂直発光部材３６ａ・３６ａ・・は基板３５に対して垂直方向に発光するＬＥＤで構成される。平行発光部材３６ｂ・３６ｂ・・・は基板３５に対して平行に発光するＬＥＤで構成される。さらに、発光役物２９の形状を表す中空の立体造形物１３０が基板３５の前面（遊技者側）において前方に膨出して、垂直発光部材３６ａ・３６ａ・・及び平行発光部材３６ｂ・３６ｂ・・・を被覆した状態で配設されている。換言すれば、発光源である垂直発光部材３６ａ・３６ａ・・及び平行発光部材３６ｂ・３６ｂ・・・は発光時に、立体造形物１３０の裏面側から光を照射するように構成されている。
【００４２】
また、本実施形態における立体造形物１３０の裏面側であって透明部３２ａと対向する位置（遊技者から見て透明部３２ａと重なる位置）には、半透明部３１と同等の色である乳白色で彩色された裏面部材１３７が配置されている。具体的には、基板３５の表面のうち、透明部３２ａと対向する部分に、裏面部材１３７として乳白色のシートが貼付されている。これにより、遊技者が透明部３２ａを介して裏面部材１３７を視認することにより、遊技者は透明部３２ａが半透明部３１と同様の乳白色に見える。
【００４３】
本実施形態においては、図７（ａ）及び（ｂ）に示す如く、それぞれの平行発光部材３６ｂは裏面部材１３７に向けて発光するように配置されている。これにより、垂直発光部材３６ａ・３６ａ・・及び平行発光部材３６ｂ・３６ｂ・・・が発光した際に、図７（ｂ）中に示す矢印αに示す如く、平行発光部材３６ｂ・３６ｂ・・・が照射した光が裏面部材１３７で反射された後に透明部３２ａを透過して遊技者側に放出される。また、図７（ｂ）中に示す矢印βに示す如く、垂直発光部材３６ａ・３６ａ・・及び平行発光部材３６ｂ・３６ｂ・・・が照射した光が半透明部３１を透過して遊技者側に放出される。
【００４４】
このように、本実施形態においては、平行発光部材３６ｂ・３６ｂ・・・が裏面部材１３７を直接に照射するため、透明部３２ａを透過して遊技者側に放出される光を多くすることができる。即ち、透明部３２ａを半透明部３１と比較してより、明るくすることができるのである。これにより、立体造形物１３０の表面で凹部３０ａによって形成されるラインが、遊技者により際立って認識されることとなる。つまり、立体造形物１３０が発光した際に、凹部３０ａによって形成されるラインで人や生物等の形状が認識し難くなることをより防止できるため、遊技者に与える造形感をさらに向上させることが可能となるのである。また、本実施形態における立体造形物１３０においては、平行発光部材３６ｂ・３６ｂ・・・の配置や向きを変更することにより、平行発光部材３６ｂ・３６ｂ・・・から裏面部材１３７に対して直接的に当てる光量を調節することが容易となる。つまり、遊技者が透明部３２ａを介して視認する光量を調節できるため、例えば立体造形物１３０における透明部３２ａの光り方を均一にしたり、あるいは部分的に変更したりしやすくなるのである。
【符号の説明】
【００４５】
１    遊技機
５    遊技盤
２９    発光役物
３０    立体造形物
３０ａ  凹部
３１    半透明部
３２ａ  透明部
【図１】
2014226275.tif 000003
【図２】
2014226275.tif 000004
【図３】
2014226275.tif 000005
【図４】
2014226275.tif 000006
【図５】
2014226275.tif 000007
【図６】
2014226275.tif 000008
【図７】
2014226275.tif 000009